(57)【要約】  フラットディスプレイパネル(３)用モジュール式コンテナ(２)は、上記パネル用の据付シェルフ(５５)と、据付シェルフを選択的に昇降するための動力手段(４８)と、上記ディスプレイパネルの側端を受け入れ、および、幅が異なるパネルに適合するために水平に調整可能な、上記コンテナ内に配置された垂直溝(１０８)またはギアを有する軌道とを有する。フラットディスプレイパネル用モジュール式コンテナは、上記パネル用の据付シェルフと、据付シェルフを選択的に昇降するための動力手段と、座位または側臥位の人に対して上記コンテナを動かすための、遠隔制御された動力手段（３２、７６）を有する。
2008533503.tif 000002
【特許請求の範囲】
【請求項１】
フラットディスプレイパネル用モジュール式コンテナにおいて、前記コンテナは前記フラットディスプレイパネルを受け入れるための空間を画定する広い前後壁および相対的に狭い側壁と、開口して前記ディスプレイパネルの出現を可能とする上部蓋とを有し、
その改良は、前記コンテナ内部の据付部材と、前記据付部材を選択的に昇降する動力手段と、前記据付部材によって支持されるフラットディスプレイパネルと、前記ディスプレイパネルの側端を受け入れ、および、幅または厚みまたはその両方が異なるパネルに適合するように前記コンテナ内に配置された垂直溝またはギアを有する軌道とを含む。
【請求項２】
前記上部蓋が許可無く開けられることから守るために、ロック手段を含むことを特徴とする、請求項１の改良。
【請求項３】
フラットディスプレイパネル用モジュール式コンテナにおいて、前記コンテナは前記フラットディスプレイパネルを受け入れるための空間を画定する広い前後壁および相対的に狭い側壁と、開口して前記ディスプレイパネルの出現を可能とする上部蓋とを有し、
その改良は、前記コンテナの前記広い壁の一つが半透明であるため、前記ディスプレイパネルが透けて見えることを含む。
【請求項４】
フラットディスプレイパネル用携帯用モジュール式コンテナであって、前記コンテナは前記ディスプレイパネルを受け入れるための空間を画定する、断絶されておらず広い前後壁および相対的に狭い側壁を有し、
その改良は、前記コンテナ内部の据付部材と、前記据付部材を選択的に昇降する動力手段と、前記据付部材によって支持されるフラットディスプレイパネルと、前記ディスプレイパネルを前記コンテナの横向きに選択的に動かす手段とを含む。
【請求項５】
フラットディスプレイパネル用携帯用モジュール式コンテナにおいて、前記コンテナは前記ディスプレイパネルを受け入れるための空間を画定する、広い前後壁および相対的に狭い側壁と、前記コンテナ内部の据付部材と、前記据付部材を選択的に昇降する動力手段と、前記据付部材によって支持されるフラットディスプレイパネルとを有し、
その改良は、前記コンテナに据え付けられた車輪、車輪は選択的にモータで駆動され、および、前記車輪の動きおよび向きを制御するための遠隔制御手段を含む。
【請求項６】
ヘッドおよびフットを有するベッドと、フラットディスプレイパネル用携帯用モジュール式コンテナと、前記コンテナを前記ベッドのヘッドへ近づく方向および離れる方向へ動かすための、分離したユニットまたはフットボードと一体の動力手段との組合せであって、
前記コンテナは前記ディスプレイパネルを受け入れるための空間を画定する広い前後壁および相対的に狭い側壁と、前記コンテナ内部の据付部材と、前記据付部材を選択的に昇降する動力手段と、前記据付部材によって支持されるフラットディスプレイパネルとを有し、
前記コンテナは、前記ベッドのフットに、またはフットの中に据え付けられている。
【請求項７】
ヘッドおよびフットを有するベッドと、フラットディスプレイパネル用モジュール式コンテナとの組合せであって、
前記コンテナは前記ディスプレイパネルを受け入れるための空間を画定する広い前後壁および相対的に狭い側壁と、前記コンテナ内部の据付部材と、前記据付部材を選択的に昇降する動力手段と、前記据付部材によって支持されるフラットディスプレイパネルとを有し、
前記コンテナは、前記ベッドのフットに据え付けられており、
前記ディスプレイパネルは両面であるため、ベッドの中の人が一面を見ることができ、同時に、他の人が他の面を見ることができる。
【請求項８】
前記パネルが垂直軸または水平軸の周りを回転することを可能とする、前記パネルの据付手段と、前記パネルが少なくとも一つの前記軸上を移動するための動力手段とを含む、請求項１、４、６または７の改良。
【請求項９】
横から見るための、スクリーンをベッドの何れかの側面に向けてスイングまたはピボットさせるための手段を含む、請求項６または７の改良。
【請求項１０】
フラットディスプレイパネル用モジュール式コンテナにおいて、前記コンテナは前記ディスプレイパネルを受け入れるための空間を画定する広い前後壁および相対的に狭い側壁と、開口した上部と、前記コンテナ内部の水平据付部材と、前記据付部材を選択的に昇降する動力手段と、前記水平据付部材によって支持されるフラットディスプレイパネルとを有し、
その改良は、どちらか一方の面、または両方の面を同時に見ることができるように、前記パネルは両面であることを含む。
【請求項１１】
前記コンテナが１以上のハンドルを有し、運ぶことができ、１以上の前記広い壁に蓋を有する、請求項１、２、３、４、５、または１０の改良。
【請求項１２】
ベッドの占有者からの、前記ベッドのフットボードの中または上に据え付けられたフラットディスプレイパネルの見え方を最適にする方法であって、
前記占有者へ近づく方向および離れる方向へ前記フットボード、すなわち前記パネルを動かすことを含む。
【請求項１３】
椅子またはベッドの占有者からの、モジュール式コンテナによって支持されるフラットディスプレイパネルの見え方を最適にする方法であって、
モータ手段により選択的に駆動される車輪を有する前記コンテナを提供することと、
前記モータ手段を制御するための受容器を提供することと、
それにより前記モジュール、すなわち前記フラットスクリーンを前記占有者に対して動かすことができる、前記占有者が利用できる送信手段を提供することと、を含む。
【請求項１４】
フラットディスプレイパネル用携帯用モジュール式コンテナであって、前記コンテナは前記ディスプレイパネルを受け入れるための空間を画定する、断絶されておらず広い前後壁および相対的に狭い側壁と、前記コンテナ内部の据付部材と、前記据付部材を選択的に昇降する動力手段と、前記据付部材によって支持されるフラットディスプレイパネルとを有し、
その改良は、前記コンテナが自己支持性を有し、前記コンテナを手動で運搬することができるハンドル手段を有することを含む。
【発明の詳細な説明】
【技術分野】
【０００１】
関連出願のクロスリファレンス
この出願は２００５年１月２４日に出願された米国仮出願番号６０／６４６、２８１からの優先権を主張する。
【背景技術】
【０００２】
テレビやコンピュータ用の薄型スクリーンモニターの出現に伴い、このようなスクリーンを保管する、およびある機械的な装置によってこのようなスクリーンの全貌が現れるまで上昇させる手段を提供する幅広いアイデアが、数々の特許の源となっている。その初期のものの一つはウェスティングハウス・エレクトリック社(Westinghouse Electric Corp.に１９８８に特許された特許文献１である。その特許のスクリーンは机の中に隠されており、電気モータにより駆動される駆動チェーンによって持ち上げられる。特許文献２においては、一態様において机の中にコンピュータスクリーンが据え付けられ、他の態様においては居間のシェルフの中にテレビ・スクリーンが装着され、どちらの場合においても、スクリーンが据え付けられている横の棒の端部にある、内部にねじ込まれたボスへねじ込まれる一対の「調整ネジ」によって、上下動される。特許文献３は、手動または電気モータによって作動されるベルト、および、油圧モータによって作動されるシーサースリフトの、薄型スクリーンを上下動するための他の二つの手段を示す。例えば特許文献４を参照するように、パンタグラフまたはシーサースジャッキ型の昇降装置、またはラック・アンド・ピニオンを用いることができる。特許文献３は自己支持性のあるパネルホルダを示しているが、パネルは、モニタースクリーン等を有していてもよいが、それ自身はそのようなスクリーンではない隔壁を意図する。最近の従来技術としては、２００５年４月６日に公開された特許文献５、２００４年９月１０日に公開された特許文献６、２００３年４月２４日に公開された特許文献７、および２００２年１月１１日に公開された特許文献８を挙げることができる。
【０００３】
【特許文献１】米国特許第４，７３５，４６７号
【特許文献２】米国特許第６，７３３，０９４号
【特許文献３】米国特許第６，６１２，６７０号
【特許文献４】米国特許第６，３６１，１３１号
【特許文献５】英国特許出願公開ＧＢ２４０６５０６号
【特許文献６】国際特許出願ＰＣＴ／ＵＳ２００４／００５７００号
【特許文献７】ドイツ特許出願公開ＤＥ２０３００３４４Ｕ１号
【特許文献８】特開２００２−０１０１７４号
【発明の開示】
【課題を解決するための手段】
【０００４】
薄型スクリーンテレビまたはコンピュータモニタなどのフラットディスプレイパネルのための携帯用モジュール式コンテナにおいてコンテナは、ディスプレイパネルを受け入れる空間を画定する広い前後壁および相対的に狭い側壁、および、開くトップ、コンテナ内に水平据付部材、上記据付部材を選択的に上下動するための動力機構、上記水平据付部材によって支持されるフラットディスプレイパネルを有し、一態様においてはパネルの側端を受け入れるために配置された、異なる幅のディスプレイパネルに適合するように、上記据付部材に対して移動可能であり、パネルが上下動する際にパネルのガイドとして作用する垂直な溝を有する。上記調整可能な溝は、コンテナ壁または水平据付部材が有していてもよい。上記「溝」は、異なる厚みのパネルに適合するように（例えば図１の溝参照）山形鋼の形状でも、または幅広く作られてもよく、側壁を貫通する調整ネジを有していても、テフロン等で先端が覆われていてもよい。従来技術に説明されているような様々な好ましい昇降機構を用いることができる。
【０００５】
一態様においては、少なくとも一つのコンテナ壁のドアは、パネルをあらわにするために開閉可能であり、ドアをロックするためのロックが設けられている。他の態様においては、同じまたは異なるディスプレイを同時に見ることを可能にするために、パネルは両面である。コンテナの固定壁の少なくとも一つの電気フィッティングは、パネルを操作するため、およびパネルに電力を供給するため、特に、家具や携帯用ユニットのようにコンテナが取り外せないように据え付けられている用途においては、コンテナ内に据え付けられたバッテリーの再充電するため、またはキーボードをパネルに接続するため、またはＤＶＤ、ＶＣＴおよびビデオゲームの他にも衛星、ケーブル等などの機器の再生および記録するために、電源にパネルおよび正立機構が電気的に接続されることを可能とする。
【０００６】
一態様においては、簡単に携帯できるモジュール式のコンテナまたはフラットディスプレイパネルの格納装置は、車輪が設けられていてもよく、例えばベッドの下に収納できるように折り畳めるためにヒンジで連結されていてもよい。上記車輪は、上記装置を自己推進とするためにモータで駆動されていても、されていなくてもよい。上記車輪が動力駆動されている任意の態様においては、上記車輪を駆動する１以上のモータの制御が上記モジュール自体に設けられていても、離れた場所に設けられていてもよい。後者の配置は、遠隔スイッチで、例えば使用者の目に近づく方向および離れる方向へ、または視線に対して横向きに、見易さの調整を可能とするため有用である。さらに他の態様においてコンテナは、ベッドまたは他の家具に接続される、またはそれらと一体化されることに適する。ベッドに接続される、またはベッドと一体化されるのに適している場合、他の態様においては、大きなフラットディスプレイパネルを用いる際、スクリーンの側臥位である際、またはその両方の際に理想的な視距離を達成するために、使用者の目からコンテナの焦点距離を調整するための手段が設けられる。装置が中央集権制であり、車輪付きの遠隔制御のコンテナである場合、適切な信号を車輪へ送信することにより、座位または側臥位の人からの距離が、簡単に変えられることは明確である。３６０°回転据付部材上のスクリーンまたは両面スクリーンが設けられている態様のベッドに据え付けられた、独特ではあるが、それには限定されない、例えば病院のベッドの有用性を有する他の態様においては、患者および客がテレビを見ることができ、また、医師がベッドのフット側の端部においてデータを見るまたはインプットすることができる。これらの全ての態様においては、スクリーンを昇降するための従来の機構手段を用いることができる。昇降機構は、スクリーンを支持するバーまたはシェルフを有する。スクリーンは、直立の溝の間に位置し、バーまたはシェルフの外側のケースによって支持される、またはバー自身によって支持されることが好ましい。どちらの場合においても、任意で、異なる幅のスクリーンに適合するために、溝の空間は水平に調整することができる。他の態様と組み合せることができる、さらに他の態様においては、スクリーンが据え付けられるコンテナは、高い位置のみならず、低い位置においても見るための１以上のドアが設けられている。子供による未許可の視聴、または、スクリーンのいたずらまたは窃盗を防止するために、ドアおよびモジュールにロックが掛けられてもよい。ドアは、１以上の側面、上面、下面においてヒンジで連結されても、上下にスライドするように配置されてもよい。例えば、ＷｉＦｉ、ブルートゥース、赤外線、ケーブル、衛星または従来のテレビ受信、または、ＶＣＲ、ＤＶＤ、ビデオゲームプレーヤー用のビデオモニタ、無線遠隔スピーカー用の監視カメラ視聴用、または、コンピュータおよびそのキーボードおよびプリンタなどの無線の発信および／または受信装置がディスプレイパネルに組み込まれるまたは装着されてもよく、また、モジュールに含まれてもよい。上記のすべては、それぞれのタスクの発信または受信のための無線接続を用いることが���き、配線およびケーブル接続の必要がなく、それぞれの装置の送受信の範囲内において上記ユニットを完全に携帯可能とすることができる。電源コードの代わりの充電池、コンピュータスクリーン、赤外線、イーサネット、キーボード、プリンタＷｉＦｉドライバ等がスクリーンを有するモジュールにふくまれてもよく、これらを含むことによって有用性をさらに向上させることができる。スクリーンが昇降する、これらの全てのディスプレイモジュールの追加的な態様においては、スクリーンおよびその他の昇降に適合するため、例えばスクリーンにキーボードまたはテレビコントロールなどを接続するために、フレキシブルな電気コンダクタが上記コンテナの内部に据え付けられてもよい。これらのコンダクタは、上記コンテナの１以上の壁に据え付けられている電気フィッティングに接続されている。アンテナ、スピーカーなどの装備品および付属品もスクリーンを有するコンテナに含まれてもよい。
【発明を実施するための最良の形態】
【０００７】
次に、本発明の実施態様の図１を参照し、図１において参照番号１は、プラズマスクリーンまたはコンピュータフラットスクリーンなどのディスプレイパネル３が据え付けられた格納装置２と、テレビセット自身、バッテリー再充電器、または上記スクリーンがコンピュータの一部である場合のキーボードを電気的に接続するために、図示されていない電気コネクタがスクリーンのための正立機構および図示されていない他のフィッティングに接続されている、上記格納装置の狭い壁上にある電気フィッティング４とを有する、基本的なユニットを示す。バッテリーが用いられる任意の態様においては、バッテリーのための空間が設けられており、バッテリーの検査および交換を可能とする、何らかのアクセスドアが設けられる。携帯を容易にするために、ハンドル１０１設けられている。格納装置の底部の拡張された溝１０２は、フットボード等へ格納装置を据え付けることを可能とし、１以上の止めネジ１０３が、異なる幅のベッドフレームへ格納装置を固定する。上記溝は断絶されていてもよい。フットボード等へ格納装置を吊るすための、固定された、または取り外し可能なブラケット１０４が設けられていてもよい。
【０００８】
図２および３を参照すると、フラットスピーカー１３が据え付けられたヘッドボード１２と、ディスプレイパネル２１を有する格納装置２０が据え付けられたフットボード１４と、フットボード上の車輪１５と、ベッド１０のヘッドボード側の端部に取り付けられた固定フレーム部１６と、フットボード１４に取り付けられたはめ込みフレーム部１８とを有するベッド１０が示されている。上記ディスプレイパネル２１は、上下動機構２３によって上下動される。上記ディスプレイパネル２１は、上記機構２３によって上下動するように接続された水平シェルフ２７上に置かれている。
【０００９】
ラック３５は、一端がフットボードに固定されており、シャフト３３によってピニオン３４と接続されて上記ラック３５を駆動するモータ３２によってヘッドボードへ近づく方向および離れる方向へ動かされる。上記ラックは、ベッドのフットへ固定されており、上記ラック３５は、図示されていない格納装置内を、ヘッドへ向って動く。また、シャフトは、ネジを駆動するために接続されてもよく、フットボードへ回転可能に固定されてもよい。フットボードは、外および内に移動可能なセンター部で分けられていてもよい。
【００１０】
図３を参照すると、スクリーン４０は両面であり、ベッドの中の人が一方の「スクリーン」を見ることができ、ベッドの外の人がもう一方を見ることができるように、両面は個別に制御される。患者がテレビ番組を見ることができ、世話をする医師または看護士が他方で表や履歴を見ることができるため、病院のベッドとして特に有用である。
【００１１】
図４においては、スクリーン格納装置は、上昇した位置のみならず、格納装置内部の下降した位置においてもスクリーンを見ることができる選択肢を提供する、半透明または透明な側面を有する。もし、半透明な側面を有する上記格納装置が、ドアのあるキャビネットで囲まれている場合、正立機構が無効化されてロックされた場合は、パネルを見ることを制限する方法としてドアを用いることができる。
【００１２】
図５は、油圧昇降機構４８を説明する。上記油圧昇降機構は、シェルフ５５が旋回することを可能とするはめ込みセグメント５３、５４および５６を有する。主シリンダ５３は、上記パネルがケースをクリアにした場合、格納装置の横向きの移動のためにピニオン５９によって据え付けられたラック５８に据え付けられている。これは、ベッドの中の人の目の前に座っている誰かを避けて、スクリーンを下降することなく、スクリーンを移動することができるため、ベッドに据え付けられる格納装置に特に有用である。
【００１３】
図６は、自己推進の、１以上のモータ７６によって駆動される車輪６８を有する、車輪付きアセンブリ６９を説明する。上記車輪は、モータ７６が据え付けられているベースまたはフット６６に据え付けられている。モータは、格納装置６９が収納できるように折り畳めるためにヒンジで連結されているヒンジブロックとしても機能するハウジングを有していてもよい。そのために、格納装置が水平位置にあるときに支持するために、格納装置の上端に格納式フット７３が設けられている。垂直移動のために、手動でスライドするドアが溝に据え付けられてもよい。上記車輪は、スクリーンをコンテナの広い側に平行な向きに動かすために回転されても、例えば一セットの車輪の回りを回転してもよい。これらの操作は、例えばおもちゃのレーシングカーに用いられるように、遠隔コントローラで制御することができる。
【００１４】
図７は、ジャッキまたは他の昇降機構の外側の外側に調整可能な溝１０８を有する昇降機構を説明する。複数の上記垂直な溝１０８は、電力により、または据付可能および取り外し可能なクランク１１０により作動される調整ネジ１０９によって、互いに近づく方向および離れる方向へ移動することができる。
【００１５】
図８は、付加的な調整可能な溝の配置を説明する。上記格納装置の横向きに整列するグルーブ１１４を有する、一対の対向するプレート１４は、溝１２０を有するベースプレート１１８を受け入れる。
【００１６】
示された昇降機構の例およびその他の例は単に実例である。上述した開示を踏まえ、当業者には、添付された特許請求の範囲の範囲内において、本発明の装置の構成の多数のバリエーションを思いつくであろう。
【図面の簡単な説明】
【００１７】
【図１】図１は、基本的な格納装置ユニットの斜視図である。
【図２】図２は、ベッドの中の人の頭へ近づく方向および離れる方向へユニットを移動するための手段が設けられた、格納装置およびベッドの組合せの概略斜視図である。
【図３】図３は、両面スクリーンが設けられた、図２のベッドの特徴を有するベッドの斜視図である。
【図４】図４は、一つの広い側が半透明である、格納装置アセンブリの斜視図である。
【図５】図５は、格納装置の上縁がクリアな場合に、スクリーンの水平移動を可能にする、ラックベース上の油圧昇降機構の斜視図である。
【図６】図６は、収納できるように折り畳める、自己推進格納装置の側面図である。
【図７】図７は、調整可能な溝配置の一態様の、正面の部分図である。
【図８】図８は、調整可能な溝配置のさらに他の態様の上面の部分図である。
【図１】
2008533503.tif 000003
【図２】
2008533503.tif 000004
【図３】
2008533503.tif 000005
【図４】
2008533503.tif 000006
【図５】
2008533503.tif 000007
【図６】
2008533503.tif 000008
【図７】
2008533503.tif 000009
【図８】
2008533503.tif 000010
【国際調査報告】
2008533503.tif 000011
2008533503.tif 000012